(57)【要約】【課題】体内量子比および意識・無意識に関わる生体未科学現象を理論的に検証するため、生体量子比、非局所性量子比が関わる体内量子比を意識認知科学的な視的動作として検知できるマンマシーンインターフェースが求められている。【解決手段】生体量子比および不規則かつ脈動的に変動する非局所性量子比が相乗的に作用する体内量子比に起因する体外量子比電流の変化を、体表面に接する導電体の物理的な変化に変換させることによってこそ体内量子比、強いては生体量子比および非局所性量子比を簡単かつ視的に検知できる。これらの物理的動作は生体量子比、非局所性量子比、意識の三つの要因が相関的に関わっているので、本発明は、（被）検知者の体内量子比（即ち、生体量子比および非局所性量子比）および意識状態を意識認知科学的な視的動作として検知できるマンマシーンインターフェースとしての多目的な体内量子比検知器となる。【選択図】図１
2010029339.tif 000002
【特許請求の範囲】
【請求項１】
導電性多面体１からなる構成要素Ａ、両端を自由結合部６および７に自由度をもって結合できるようにした導電性鎖２および軸対象の導電性錘３からなる構成要素Ｂ、導電性棒４の一部分を絶縁性被覆５で覆い、一端を導電性多面体１に間接結合または自由結合部６に直接結合できるようにとした構成要素Ｃ、導電性多面体１に着脱結合または一体結合、導電性棒４に着脱結合できるようにした結合部８からなる構成要素Ｄからなり、構成要素Ａ、Ｂ、Ｃ、Ｄの全てまたは一部を着脱可能とし、これらの組み合わせによってそれぞれが一体のときと同じように体内量子比、生体量子比、非局所性量子比および意識の各状態を意識認知科学的に検知できるようにした多目的な体内量子比検知器。
【発明の詳細な説明】
【技術分野】
【０００１】
本発明は、生体量子比および非局所性量子比の相乗作用による体内量子比状態および意識状態を意識認知科学的な視的動作として検知できるようにしたマンマシーンインターフェースとしての多目的な体内量子比検知器に関する。
【背景技術】
【０００２】
同じ環境のもとで、同一場所でも刻々と変動する空気イオン（非局所性量子）のイオンバランス
（非局所性量子比） を測定するには、同軸２重円筒型のゲルディエン式のイオン測定器で同時にプラスイオン・マイナスイオンを測定しなければならない。従って、隣接する２軸の円筒型、交互切換の１軸円筒型の測定器では厳密には空気中の非局所性量子比の測定はできないことになる。
【０００３】
況や、平行平板式の簡易型空気イオン測定器は、プラス・マイナス切り替えモードで測定するので、測定の時系列が異なり、それぞれのデータをもって非局所性量子比を比較しても定性的把握に留まり、本来的とは言えない。
【０００４】
仮に、同軸２重円筒型のゲルディエン式イオン測定器でプラスイオン数・マイナスイオン数および非局所性量子比を測定しても、それらが個々の生体にとってどのように影響しているのか分らないのが現状である。
【０００５】
本発明の発想の原点は、古来実践されてきたが未科学とされる占い振り子、および米国知的所有権を有し医学的に実践されているが未科学とされるＯリングテストにある。
【０００６】
一方の占い振り子は、３、４千年前から占いなど精神を探るのに実践的に使われてきた。しかし、時代とともに諸説が変遷するものの、決定的な理論的解明がなされないため、今日に至るまで非科学的な技術とされてきた。（
【非特許文献１】Ｐ３０、Ｐ４７、Ｐ１６）、（
【非特許文献２】Ｐ６４〜６５）
【０００７】
占い振り子の理論は確立されていないため、その構成条件に最も重要とされる支持部の材質、紐の材質、支持方法の明確化はもとより、環境状態、健康状態、意識状態の関わりが明らかにされていない。その結果、熟練者の固有技術のもと神経を集中して扱われてきたものの、動作に再現性が得られず未科学的技術とされてきた。また恣意的に扱われ疑念を持たれることすらあった。
【０００８】
もう一方のＯリングテストの基本は、第三者（テストのパートナー）の片方の手先（一般に左手で持った導電性棒）を検知したい被検者の部位または非検知物質に近づけ、他方（一般に右手・利き手）の親指と人差し指で作った輪（Ｏリング）に、検知者が作った同様な指の輪を相互に交差させて引っ張ってもらったとき、検知者のＯリングが開くかどうかで判断する。（
【非特許文献３】Ｐ３２）
【０００９】
Ｏリング理論の創始者によると、まだ生理学的にも、科学的にも完全に解明された訳ではないものの、電気的な何かが体内のセンサーに作用していることは明らかだが、その正体はまだ分っていない。（
【非特許文献３】Ｐ１１６、Ｐ１２７）
【００１０】
従って、医学分野、食品衛生分野で熟練者の固有技術のもと活用されてきたが、第三者の介在を要する動作原理が不明確な未科学的技術とされてきた。
【００１１】
これらに関わっている意識・無意識が科学的に解明されていこなかったことが、未科学技術とされてきた原因のひとつである。
【００１２】
従来の科学的方法では意識の直接性、主観性に対してはまだ歯が立たないが、無意識的な心を、認知神経科学の角度から探索することにより、意識と無意識の違いが、近未来の研究の方向性を占うことができる。（
【非特許文献４】Ｐ２２０〜２２１）
【００１３】
意識の問題を科学的に解決するためには、アインシュタインの重力理論と量子力学が統一されなければいけない。逆に重力理論と量子力学が統合できると意識の問題は解決する。（ロジャー  ぺン・ローズ）（
【非特許文献５】Ｐ２１１）
【００１４】
【非特許文献１】堤裕司  マインドテクノロジー（上）  ダウジングの秘密に迫る  知玄舎  １９９９．８
【非特許文献２】ゲオルク・キルヒナー／新井明廣訳  放射感知術ハンドブック  振り子と占い棒の謎を解く  ビジネス社  １９９０．９
【非特許文献３】新井基夫  Ｏ−リングの驚異  祥伝社  １９９７．１２
【非特許文献４】下條信輔  意識とは何だろうか  講談社現代新書  １９９９．２
【非特許文献５】天下伺朗・瀬名秀明共著  心と脳の正体に迫る  ＰＨＰ研究所  ２００５．９
【発明の開示】
【発明が解決しようとする課題】
【００１５】
本発明の課題は、体内量子比状態に起因する情報を体外に取り出し、体内量子比に関わる、日常的な生体量子比（健康状態）、非局所性量子比（環境状態）および意識状態を簡便かつ視的に意識認知科学的な視的動作として検知できるようなマンマシーンインターフェースを提供することである。
【００１６】
逆に、本発明によって、新科学領域（量子比力―重力変換理論、生体量子力学、意識の解明、意識認知科学、東西医学の部分融合など）を確立できる。
【００１７】
その結果、体内量子比および意識が関わる生体未科学現象（マイナスイオンの生体影響、ダウジング（占い振り子、Ｌロッド）、Ｏリング、意識・無意識、気・経絡・経穴など）の謎は、本発明の体内量子比検知器によって解明できる。
【００１８】
われわれは、体液の恒常性（酸塩基反応および酸化還元反応）のもと、血液のｐＨ＝７．４±０．０５、電子活動度ｐｅ＝２．４±０．３の範囲で健康が維持されている。（
【非特許文献６】Ｐ１７１〜１７５）
【００１９】
即ち、人間の体液は、ｐＨ７．４前後のアルカリ性側に傾くことによって全ての臓器が正常に働き、人体の生理機能を遺憾なく発揮できる。これが乱れると病的状態の一因となる。（
【非特許文献７】Ｐ３２）
【００２０】
ところで、空気イオンには「マイナスイオンＭＩ」および「プラスイオンＰＩ」（空気中でマイナスおよびプラスに帯電した微粒子が水分子集団と結合したイオンの総称）があり、それぞれの微粒子の組成は化学的に刻々と変動しながら存在する。（
【非特許文献６】）
【００２１】
従って、空気イオンは粒子性および時系列的な波動性の二重性を有する）ので、広義の量子（（非特許文献８）Ｐ９０）、即ち、「非局所性量子」と見做せる。
【００２２】
大気汚染空間、気密住空間、電磁場空間などにおいては、体液の酸性化要因となるプラスイオン傾向となる。（
【非特許文献７】）
【００２３】
そこで、この現状を単純に体液のアルカリ性化要因となるマイナスイオンの不足と捉え、各種のマイナスイオン発生機器が普及してきたが、そこではマイナスイオン数は多い程よいとされ勝ちである。
【００２４】
従って、これらの機器を使用しても、必ずしも本来の「非局所性量子比ＭＩ／ＰＩ」の改善、強いては「生体量子比ＩＢｉ」の改善を果たしていないのが現状である。
【００２５】
健康のためには、マイナスイオン数が多ければよい訳ではなく、質的・量的に生体に望ましいマイナスイオンが求められている。体液の恒常性（ホメオスタシス）の観点から、個々の生体に望ましい非局所性量子比がどうあるべきかが重要となる。本来は生体量子比ＩＢｉに適応する非局所性量子比ＭＩ／ＰＩが求められていることになる。
【００２６】
従って、生体に良い非局所性量子比はあくまでも生体を介して感知されるべきものでる。そのために、生体量子比ＩＢｉと非局所性量子比ＭＩ／ＰＩとの相乗作用による体内量子比ｆ（ＭＩ／ＰＩ）という概念を検知できることが重要となる。
【００２７】
従って、日常的な生活環境、マイナスイオン発生機器の導入動機および導入効果の見極めなどのため、自らの生体量子比状態、検知者が置かれている非局所性量子比状態がどのような状態にあるのかを簡便に検知できるマンマシーンインターフェースが求められている。これは、従来の物理的なイオン測定器では解決せず、生体を介した体内量子比検知器によってのみ可能となる。
【００２８】
また、水中のイオン測定が簡単にできない現状にあって、水（飲料水・風呂水・シャワー水・プール水・温泉水・潅水など）の非局所性量子比（陰イオン総和／陽イオン総和）が生体に望ましいかどうかを知る簡便な方法、更にイオン発生物質（臓器器官、食品、薬品、鉱石など）が生体に望ましい状態かどうかを知る簡便な方法などに関しても、生体を介した検知器が求められる。
【００２９】
更に、意識・無意識を神経認知科学的に検知する方法に関しても、生体を介した検知器が求められる。
【課題を解決するための手段】
【００３０】
生体内の化学変化は、全てイオンレベルで反応し、体液の恒常性のもとでより良く機能する。そのイオンのもととなる非局所性量子は空気・浴水などから無意識のうちに吸気的・経皮的に吸収されたり、飲料水・食物を介して微量要素（ミネラルイオン）として無意識的または意識的に経口的に取り入れられている。
【００３１】
われわれは、謂わば「非局所性量子場」の中で生活していることになる。
【００３２】
従って、非局所性量子にもとづく非局所性量子比とは、本来は空気中の量子比だけではなく、外的摂取する飲食物、浴水に起因する量子比を含むが、その大半は環境条件により不規則かつ脈動的に変動する空気イオンによる。以下、空気量子比のことを「非局所性量子比」（ＭＩ／ＰＩ）とする。
【００３３】
即ち、不規則かつ脈動的に変動するマイナスイオンＭＩおよびプラスイオンＰＩを必然的に主として吸気的に吸収している。
【００３４】
従って、生体量子比ＩＢｉと非局所性量子比ＭＩ／ＰＩとの相乗作用にもとづく体内量子比ｆ（ＭＩ／ＰＩ）の変動に伴って、体液、即ち細胞外液（血液および組織液）中には不規則かつ脈動的な陰陽イオンの流れ、即ち「血液量子比電流」、「組織液量子比電流」が流れている。これらを総称して「体内量子比電流」とする。
【００３５】
従って、体内量子比電流が陰イオン優位となる必要条件は非局所性量子比ＭＩ／ＰＩがマイナスイオン傾向のときであり、陽イオン優位となる必要条件はプラスイオン傾向のときである。
【００３６】
そして、体内量子比電流は「体内量子比増幅機能」によって、陰陽イオンのいずれか優位な方のイオンが逆比例的に増幅され、不規則かつ脈動的な負イオンまたは正イオンの流れが体外に放出され、手指末節掌側または他の皮膚表面に接した導電体を通じて「体外量子比電流」として流れる。
【００３７】
非接触型導電性振り子構成（図２）の場合、検知者が手指（例えば、親指と人差し指）末節掌側で導電性多面体１を支持して導電性錘３を吊り下げると、検知者の体内量子比電流の変化に応じて陰陽イオンのいずれか優位な方のイオンが逆比例的に増幅され、不規則かつ脈動的な負イオンまたは正イオンが体外量子比電流として手指末節掌側から導電性鎖２を通じて導電性錘３に向けて放出される。
【００３８】
非接触型導電性多面体構成（図３）の場合、検知者が両手の手指（例えば、親指と人差し指）末節掌側で導電性多面体１の対面をそれぞれ押さえると、検知者の体内量子比電流の変化に応じて陰陽イオンのいずれか優位な方のイオンが逆比例的に増幅され、不規則かつ脈動的な負イオンまたは正イオンが体外量子比電流として手指末節掌側から導電性多面体１に向けて放出される。
【００３９】
接触型導電性振り子構成（図１）の場合、（被）検知者が一方の手で導電性棒４の絶縁性被覆５を支持し、導電性棒４の先端を被検知者の検知部位に触れると、被検知者の体内量子比電流の変化に応じて陰陽イオンのいずれか優位な方のイオンが増幅され、不規則かつ脈動的な負イオンまたは正イオンが体外量子比電流として導電性多面体１および導電性鎖２を通じて導電性錘３に向けて放出される。
【００４０】
接触型導電性振り子構成（図５）の場合、（被）検知者が一方の手で導電性棒４の絶縁性被覆５を支持し、導電性棒４の先端を被検知者の検知部位に触れながら導電性錘３を吊り下げると、被検知者の体内量子比電流の変化に応じて陰陽イオンのいずれか優位な方のイオンが増幅され、不規則かつ脈動的な負イオンまたは正イオンが体外量子比電流として導電性棒４の接触皮膚面から導電性鎖２を通じて導電性錘３に向けて放出される。
【００４１】
接触型導電性多面体構成（図６）の場合、（被）検知者が一方の手で導電性棒４の絶縁性被覆５を支持し、導電性棒４の先端を被検知者の検知部位に触れると、被検知者の体内量子比電流の変化に応じて陰陽イオンのいずれか優位な方のイオンが増幅され、不規則かつ脈動的な負イオンまたは正イオンが体外量子比電流として導電性多面体１に向けて放出される。
【００４２】
検体物質（検知水、飲食品、薬品、イオン発生鉱物など）がイオンを発生する場合、検知者の片方の手を検体に接触（漬ける、握る）しながら、検知者の他方の手指（例えば、親指と人差し指）末節掌側で非接触型導電性振り子構成（図２）の導電性多面体１を支持して導電性錘３を吊り下げると、検知者の体内量子比電流の変化に応じて陰陽イオンのいずれか優位な方のイオンが増幅され、不規則かつ脈動的な負イオンまたは正イオンが体外量子比電流として手指末節掌側から導電性鎖２を通じて導電性錘３に向けて放出される。
【００４３】
いずれの場合も検知者（検知者が被検知者と異なる場合は披検知者）の意識状態に関わる神経修飾物質によって体内量子比増幅機能の作用が瞬時に切り替わり、体外に放出するイオンの流れ方向が変わる。無意識・肯定的意識状態においては、体内量子比ｆ（ＭＩ／ＰＩ）＞１（陰イオン傾向）のときは増幅された負イオン（ｅ-）、ｆ（ＭＩ／ＰＩ）＜１（陽イオン傾向）のときは増幅された正イオン（ｅ+）が、不規則かつ脈動的な体外量子比電流として導電性物質（導電性多面体１または導電性棒４）を通じて体外に放出される。否定的意識状態においては、体内量子比傾向とは逆のイオン、即ち陰イオン傾向のときは増幅された正イオン（ｅ+）、陽イオン傾向のときは増幅された負イオン（ｅ-）が体外に放出される。
【００４４】
この不規則かつ脈動的な増幅イオンの流れ、即ち、体外量子比電流は単なる直流や交流とは異なり、生体特有のイオン特性および不規則かつ脈動的な波動特性を有する。非局所性量子場において手指末節掌側またはそれ以外の部位の皮膚面に接する導電性物質に放出された体外量子比電流は従来の電磁気学では言及されていない生体特有の法則に従って、体外量子比電流の方向に対応する非局所性量子場の方向（左ネジの法則）および量子比力の方向（右手の法則）が決定する。
【００４５】
従って、体外量子比電流の方向の変化によって非局所性量子場の方向、量子比力の方向が変わるので、構成要素Ａ、Ｂ、Ｃ、Ｄのいずれかの組み合わせによる体内量子比検知器は、非接触型または接触型のいずれにおいても接触する部位における体外量子比電流の方向、強いては体内量子比電流（即ち、血液量子比電流または組織液量子比電流）および意識状態を物理的な変化として視的に検知することができる。
【００４６】
即ち、血液量子比電流の方向および意識状態は、非接触型導電性振り子構成（図２）においては手指（例えば、親指と人差し指）末節掌側で導電性多面体１を支持して吊り下げたときの回転動作、非接触型導電性多面体構成（図３）においては両手の手指（親指および人指し指）末節掌側でそれぞれ対面を押さえながら、相対に引っ張ったときの手指の開閉動作、のいずれかによって検知できる。
【００４７】
また、組織液量子比電流の方向および意識状態は、接触型導電性振り子構成（図１または図５）においては、検知者が一方の手で導電性棒４の絶縁性被覆５を支持し、被検知者の検知部位に導電性棒４の先端を触れながら支持懸垂したときの回転動作、接触型導電性多面体構成（図１または図６）においては、検知者が一方の手で同様にしながら、他方の手指（例えば、親指と人差し指）末節掌側で導電性多面体１の対面を押さえながら外側に引っ張ったときの手指の開閉動作、のいずれかによって検知できる。
【００４８】
非接触型導電性振り子構成（図２）の場合、つぎの通り仮説、検証できる。
【００４９】
非接触型導電性振り子構成（図２）の体内量子比検知器は、手指（例えば、親指と人差し指）末節掌側で支持懸垂すると、右回転、左回転、単振動のいずれかの動作、またはそれらを組み合わせた不安定動作をする。
【００５０】
以下、説明が煩雑になるので非接触型導電性振り子構成（図２）における無意識・肯定的意識状態のときの体内量子比検知器の動作について記す。
【００５１】
非接触型導電性振り子構成（図２）の体内量子比検知器は、生体量子比ＩＢｉ、非局所性量子比ＭＩ／ＰＩ、体内量子比ｆ（ＭＩ／ＰＩ）とすると、無意識・肯定的意識のとき、非接触型導電性振り子構成（図２）の動作（表１）の各領域においてそれぞれ異なる動作する。
【００５２】
【表１】
2010029339.tif 000003
ただし、ｆ（ＭＩ／ＰＩ）＝ＩＢｉ×（ＭＩ／ＰＩ）
【００５３】
従って、非接触型導電性振り子構成（図２）の体内量子比検知器は、体内量子比（即ち生体量子比および非局所性量子比の相乗積）および意識によって動作が変わる。即ち、同じ非局所性量子比でも、検知者の生体量子比、意識状態によって動作が異なる。
【００５４】
即ち、非接触型導電性振り子構成（図２）の体内量子比検知器においては、量子比力―重力変換理論に従って、不規則かつ脈動的な体外量子比電流の方向に対応する非局所性量子場の方向、量子比力の方向が決まる。
そして導電性多面体１の自由結合部６を支点にして右回転、左回転、単振動または不安定動作などの動作をする。
【００５５】
否定的意識の場合、無意識・肯定的意識の場合とは反対動作をする。ただし、単振動を意識すると単振動する、また停止を意識すると停止する。
【００５６】
尚、ｆ（ＭＩ／ＰＩ）＞１、ｆ（ＭＩ／ＰＩ）＜１は、生体影響の適・不適を決める必要条件ではあるが、十分条件ではない。これは、体液（血液、組織液）の恒常性（酸塩基反応および酸化還元反応）による。
【００５７】
非接触型導電性多面体１（図３）の場合、つぎの通り仮説、検証できる。
【００５８】
両手指（例えば、親指と人差し指）末節掌側を導電性多面体１の対面に対してそれぞれＣ型に支持し、両手を相対に引っ張ると、手指末節掌側に働く力Ｆ１と手指末節関節に働く力Ｆ２との合成力Ｆが働く。この合成力の方向によって指は開閉動作をする。ただし、生体量子比、非局所性量子比および意識によって手指の開閉動作は異なる。即ち、同じ非局所性量子比でも検知者の生体量子比、意識状態によって手指の開閉動作が異なる。
【００５９】
無意識・肯定的意識の場合、ｆ（ＭＩ／ＰＩ）＞１のときは、両指の末節には内向きの合成力Ｆが働き、「ＣＬＯＳＥ」となり、ｆ（ＭＩ／ＰＩ）＜１のときは、両指の末節には外向きの合成力Ｆが働き「ＯＰＥＮ」となる。否定的意識の場合、無意識・肯定的意識のときとは、それぞれ反対動作となる。従って、手指の開閉は非接触型導電性多面体構成（図３）における指先の開閉（表２）の通りとなる。
【００６０】
【表２】
2010029339.tif 000004
【００６１】
被検知者が自己診断する場合、血液量子比電流による体内量子比の検知は非接触型導電性振り子構成（図２）または非接触型多面体構成（図３）の体内量子比検知器、組織液量子比電流による体内量子比の検知は接触型導電性振り子構成（図１または図５）の体内量子比検知器によって被検知者が自ら検知できる。
【００６２】
医学的な検査の場合、接触型導電性振り子構成（図１または図５）の体内量子比検知器を使用するのが望ましい。そして、接触型導電性振り子構成（図１または図５）の場合、医療検知者が一方の手で導電性棒４の絶縁性被膜５を支持し、導電性棒４の先端を被検知者の検知部位の当該経穴に触れながら、導電性振り子の動作を検知する。接触型導電性多面体構成（図１または図６）の場合、医療検知者が一方の手で導電性棒４の絶縁性被膜５を支持し、導電性棒４の先端を被検知者の検知部位の当該経穴に触れながら導電性多面体１の対面を押さえ外側に引っ張ったときの指の開閉動作を検知する。
【００６３】
【非特許文献６】小川俊雄  マイナスイオン健康効果の原理  ＳＴＩ出版  ２００２．１２
【非特許文献７】堀口昇  マイナスイオンが生命危機の時代を救う  健友社  １９９６．９
【非特許文献８】橋本淳一郎  量子力学が見る見るわかる  サンマーク出版  ２００１．１２
【発明の効果】
【００６４】
体内量子比ｆ（ＭＩ／ＰＩ）状態によって体内量子比電流が異なることから、身の置かれている非局所性量子比が生体にとって良い状態かどうかは、血液量子比電流および一般組織液量子比電流から複合的に検知することができる。
【００６５】
例えば、非接触型導電性振り子構成（図２）の体内量子比検知器を支持懸垂する部位による回転動作を視的確認することによって、ＩＢｉとｆ（ＭＩ／ＰＩ）の相関（表３）から身の置かれている非局所性量子比ＭＩ／ＰＩが生体量子比ＩＢｉにどのように影響しているかが分かる。即ち、身の置かれている非局所性量子比状態が「検知者の体にとって良いのか、悪いのか」の必要十分条件は、この体内量子比検知器の回転方向および回転速度によって、より的確に検知できる。
【００６６】
【表３】
2010029339.tif 000005
ただし、基節とは、手指末節掌側および経穴部位の何れ以外（例えば、中指と薬指の基節中央部近傍の間）で導電性振り子を支持懸垂したときの動作。
末節とは、手指（例えば、親指と人差し指）末節掌側で導電性振り子を支持懸垂したときの動作。
無意識を前提としているので、否定的意識の場合は逆動作となる。
回転速度は、定性的なレベル表現である。
適否区分は医学的な観点から専門分野の検証が必要である。
【００６７】
即ち、右回転なら全て適、左回転なら全て不適とは言えない。（表３）から分るように１．７５≦ｆ（ＭＩ／ＰＩ）≦１０は右回転だが長期的には不適領域であり、０．６９≦ｆ（ＭＩ／ＰＩ）＜１．０領域は左回転だが適領域となる。
【００６８】
医療検知者は、導電性振り子構成（図１、図５のいずれか）の体内量子比検知器における動作、または導電性多面体構成（図１、図６のいずれか）の体内量子比検知器における手指の開閉動作によって、Ｏリングのときのように第三者を介在することなく、被検知者の体内量子比状態を直接に診断することができる。
【００６９】
体内量子比検知器の動作原理を科学的に解明した結果、これらの体内量子比検知器は、生体量子比、非局所性量子比および意識の三つの要因が相関的に関わって動作することが検証された。
特に、無意識状態における体内量子比検知器の動作によって、検知者（検知者と披検知者が異なるときは被検知者）にとっての体内量子比状態、強いては生体量子比、非局所性量子比を意識認知科学的に検知することができる。即ち、体内量子比検知器は、検知者（検知者と披検知者が異なるときは被検知者）がいる非局所性量子比における体内量子比を視的に検知し得るマンマシーンインターフェースとして機能する。逆に、非局所性量比、意識状態から生体量子比を検知することができる。更に、生体量子比、非局所性量子比から意識状態をも検知することができる。
【００７０】
検知できる非局所性量子比の対象は、空気だけでなく水、イオン発生物質などを含む。
【００７１】
また、従来Ｏリングテストによって検知できるとされる用途（臓器の器質的・機能的異常チェック、食品チェック、薬品チェックなど）にも応用できることを示唆している。
即ち、臓器機能が正常または体に適するとき体内量子比はｆ（ＭＩ／ＰＩ）＞１、臓器機能が異常または体に不適のとき体内量子比はｆ（ＭＩ／ＰＩ）＜１となる。
【００７２】
体内量子比および意識が関わる生体未科学現象（マイナスイオンの生体影響、ダウジング（占い振り子、Ｌロッド）、Ｏリング、意識・無意識、気・経絡・経穴など）の謎は、本発明の体内量子比検知器によって全て検証できる。
【００７３】
逆に、これらの体内量子比検知器によって、新科学領域としての量子比力―重力変換理論にもとづく生体量子力学による意識認知科学を検証できる。
【発明を実施するための最良の形態】
【００７４】
以下、本発明の実施の形態について、全構成要素からなる接触型導電性振り子構成（図１）の体内量子比検知器の構成要素はつぎの通り。
【００７５】
導電性多面体１：
材質      導電性がよいこと。（銅、真鍮など）
形状     導電性振り子構成（図２）の支持部を兼ねるので、両手の手指（親指および人指し指末節掌側でそれぞれ対面支持し易いように接触面積が大きい軸対象の形状（多面体型（球型、リング型、鼓型、柱型を含む）、指輪型、指サック型など）とする。導電性多面体型（球型）構成の場合、一方の対面は凸面、他方の対面は凹面とすることによって、相対方向への引力に対して、凸面でもＣＬＯＳＥ、凹面でもＯＰＥＮすることを検知し易いようにするのが望ましい。導電性多面体１は自由結合部６および結合部８と着脱結合または一体化する。
【００７６】
導電性鎖２：
材質     導電性がよいこと。（銅、真鍮など）
形状      自由度のある鎖状とし、両端は自由結合部６および自由結合部７と自由結合できること。
長さ       適度の長さ（５〜１０ｃｍ）が望ましい。短いほど反応が早く回転が速い。
長いほど反応が遅く、回転はゆっくりと安定的となる。
【００７７】
導電性錘３：
材質      導電性のよいこと。（銅、真鍮など） 
形状      軸対象の円（または角）柱で先端は錐状が望ましい。
重さ        ある程度重い（１０〜３０ｇ前後）方が安定的に動作する。重すぎると回転動作が鈍くなる。軽すぎると動作が不安定となる。
大きさ    大きさには影響されないが、携帯用にはある程度小さい方が便利である。
【００７８】
導電性棒４：
材質      導電性がよいこと。（銅、真鍮など）
形状      先端は皮膚に優しく接せられること。
結合部   導電性多面体１の結合部８または自由結合部６に着脱結合できること。
【００７９】
絶縁性被覆５：
材質      絶縁性がよいこと。（絶縁性硬質ゴムなど）
形状      手で支持し易いこと。
【００８０】
自由結合部６：
材質      
導電性がよいこと。（銅、真鍮など）
形状      導電性鎖２を自由結合（交差結合）できるようリング状の導電性部材から成り、導電性多面体１または導電性棒４に着脱結合できること。
【００８１】
自由結合部７：
材質       導電性がよいこと。（銅、真鍮など）
形状      導電性鎖２と自由結合（交差結合）できるようリング状の導電性部材から成り、導電性錘３と一体化する。
【００８２】
結合部８：
材質      導電性がよいこと。（銅、真鍮など）
形状      導電性多面体１に着脱結合または一体化する。
【実施例１】
【００８３】
導電性振り子構成の場合：
【００８４】
支持方法：
非局所性量子比：非接触型導電性振り子構成（図２）の導電性多面体１を素手の手指（例えば、親指と人差し指）末節掌側で支持して吊り下げる。
全体の生体量子比：非接触型導電性振り子構成（図２）の場合、手指末節掌側および経穴部位の何れ以外（例えば、中指と薬指の基節中央部近傍の間）に導電性多面体１を挟み吊り下げる。接触型導電性振り子構成（図１または図５）の場合、（被）検知者が一方の手で絶縁被覆５を支持し、導電性棒４の先端を被検知者の手指末節掌側および経穴部位の何れ以外（例えば、中指と薬指の基節中央部近傍の間）に触れながら吊り下げる。
臓器器官の生体量子比：検知者が接触型導電性振り子構成（図１または図５）の絶縁被覆５を手で支持し、導電性棒４の先端を被検知者の当該経穴部位に密着しながら吊り下げる。
【００８５】
始動方法： 
１．無意識（日常的無意識）になる。
２．初めに、鉛直位置に静止させるか、軽く前後または左右に振ってみる。
３．体内量子比ｆ（ＭＩ／ＰＩ）状態に対応した動作に自然に移行する。
４．否定的意識（無意識・肯定的意識のときの動作とは反対の状態・動作を意識）のとき、動作が反転することを確認する。
５．無意識に戻したとき、元の動作に戻ることを確認して、生体量子比または非局所性量子を検知する。
【００８６】
確認方法： 
１．無意識（日常的無意識）になる。
２．体内量子比ｆ（ＭＩ／ＰＩ）状態に応じて右回転、左回転する。
ｆ（ＭＩ／ＰＩ）＞１のとき：右回転
ｆ（ＭＩ／ＰＩ）＜１のとき：左回転
３．全体の生体量子比：検知者と被検知者が同じときは、被検知者が非接触型導電性振り子構成（図２）を支持方法に従って吊り下げ、回転動作によって検知する。検知者と被検知者が異なるときは、検知者が支持方法に従って接触型導電性振り子構成（図１または図５）を吊るし、その回転動作によって検知する。
４．臓器器官の生体量子比：検知者と被検知者が同じときは、被検知者が接触型導電性振り子構成（図１または図５）を支持方法に従って吊り下げ、回転動作によって検知する。検知者が被検知者と異なるときは、検知者が支持方法に従って導電性振り子構成（図１または図５）を吊り下げ、その回転動作によって検知する。
５．被検知者が否定的意識（無意識・肯定的意識のとき状態と反対の状態を意識）のとき、動作が反転することを確認する。
【００８７】
動作環境： 
導電性振り子は、非局所性量子場においてのみ動作する。従って、イオン化が希薄な環境においては確かな動作をしない。一方、水のイオン化を検知する場合、検知者の身体または一方の手指をイオン化した水中に浸し、他方の手指末節掌側で支持懸垂した導電性振り子は水中にあっても、空中に出しても同様な動作をする。このことは、水中のイオン数測定ができない現状にあって、水（飲料水・風呂水・シャワー水・プール水・温泉水・潅水など）のイオン化傾向、強いては生体に良い水かどうかを知る簡便な方法にも適用できる。
【実施例２】
【００８８】
導電性多面体構成の場合： 
【００８９】
支持方法： 
非局所性量子比：検知者の両手の手指（例えば、親指と人差し指）末節掌側で非接触型導電性多面体１（図２または図３）をそれぞれ対面支持する。
全体の生体量子比：接触型導電性多面体型導電性振り子構成（図１）または接触型導電性多面体構成（図６）の何れかを用い、検知者が一方の手で絶縁被覆５を支持し、導電性棒４の先端を被検知者の手指末節掌側および経穴部位の何れ以外（例えば、中指と薬指の基節中央部近傍の間）に触れながら、他方の手指（例えば、親指と人差し指）末節掌側で導電性多面体１を対面支持する。
臓器器官の生体量子比：接触型導電性多面体型導電性振り子構成（図１）または接触型導電性多面体構成（図６）の何れかを用い、検知者が一方の手で絶縁被覆５を支持し、導電性棒４の先端を被検知者の臓器器官の当該経穴部位に触れながら、他方の手指（例えば、親指と人差し指）末節掌側で導電性多面体１を対面支持する。
【００９０】
確認方法： 
１．無意識（日常的無意識）になる。
２．体内量子比ｆ（ＭＩ／ＰＩ）状態に応じて手指がＯＰＥＮ、ＣＬＯＳＥする。
ｆ（ＭＩ／ＰＩ）＞１のとき：ＣＬＯＳＥ
ｆ（ＭＩ／ＰＩ）＜１のとき：ＯＰＥＮ
３．全体の生体量子比：検知者が支持方法に従って、接触型導電性多面体構成（図１または図６）の導電性多面体１の対面支持した手を外側に引っ張ったときの手指の開閉動作によって検知する。接触型導電性振り子構成（図１）として同様に検知したときは導電性多面体１を対面支持せずに回転動作を検知したときと比較確認する。
４．臓器器官の生体量子比：検知者が支持方法に従って、接触型導電性多面体構成（図１または図６）の導電性多面体１の対面支持した手を外側に引っ張ったときの手指の開閉動作によって検知する。Ｏリングにおける第三者に代わって機能するので、第三者を介在することなく、被検知者を直接に検査することができる。接触型導電性振り子構成（図１）として同様に検知したときは導電性多面体１を対面支持せずに回転動作を検知したときと比較確認する。
５．被検知者が否定的意識（無意識・肯定的意識のとき状態と反対の状態を意識）のとき、動作が反転することを確認する。
【００９１】
動作環境： 
導電性多面体における手指の開閉動作確認は非局所性量子場で行う。検知者の身体をイオン化した水中に浸した場合、手指は水中にあっては滑り易すく、ＣＬＯＳＥのときでもＯＰＥＮと取り違えることがあるので、手指は空中に出して検知する。
【実施例３】
【００９２】
マイナスイオン発生扇風機（特願平１０−３１８２６６）の検証：
ただし、マイナスイオン特性を有する原素材（トルマリン＝電気石）を活用した加工素材として下記を使用している。
・加工素材：低温焼結多孔質セラミックボール
・材質：（非特許文献９）
・大きさ、個数：６〜７ｍｍφ、５４個入り
約２０ｍ2、５分間、約６０ｍ2、５分間、約２０ｍ2、３０分間の各場合の実験結果は、（表４）、（表５）、（表６）の通り。
【表４】
2010029339.tif 000006
【表５】
2010029339.tif 000007
【表６】
2010029339.tif 000008
ただし、ＭＩ、ＰＩ＝マイナスイオン、プラスイオン  ×1000 個／ｃｍ3
ＩＢ＝ＭＩ/ＰＩ  非局所性量子比
ＩＢ比＝ＩＢ２／ＩＢ１  ＩＢ比＞１  非局所性量子比改善
Ｈ％比＝Ｈ２％／Ｈ１％  Ｈ％比＜１  湿度改善
「当該マイナスイオン発生器付き」の場合、弱モードのときは、マイナスイオン発生が少なく、ＩＢ比の改善は認められない。中・強モードのときは、マイナスイオン発生が増加し、プラスイオンがマイナスイオンに中和され減少するため、ＩＢ比が若干改善傾向にあり、強モードほどその傾向がある。導電性振り子構成（図２）は、何れのときも「発生器なし」のときは左回転、「発生器付き」の  ときは右回転することが検証された。このことから、導電性振り子の回転方向は、非局所性量子比（ＩＢ比）だけでなく、生体量子比の改善に影響していると考えられる。即ち、この方式のマイナスイオンは、生体に良い影響を与えていることを示唆している。また、室内空間、風量によって適度な距離（２、３ｍ）を隔てた方が効果的であることが分る。何れの風量設定の場合でも、室内空間によらず５分間位では改善されないが、約２０ｍ２の室内空間で３０分間ほど稼働すると、ＩＢ比で１０％、Ｈ比で２０％ほど改善された。
【実施例４】
【００９３】
マイナスイオン発生室内エアコン（特願平１０−３３１８４３）の検証：
マイナスイオン特性を有する原素材（トルマリン＝電気石）を活用した加工素材として下記を使用している。
加工素材：トルマリンサンドフィルター
材質：（非特許文献９）
大きさ：２３ｃｍ×２ｃｍ（両面貼り）、２セット
約６０ｍ2、冷房、適湿２０℃、５分間、約６０ｍ2、冷房、多湿２５℃、５分間、約６０ｍ2、冷房、多湿２５℃、３０分間の各場合の実験結果は、（表７）、（表８）、（表９）の通り。
【表７】
2010029339.tif 000009
【表８】
2010029339.tif 000010
【表９】
2010029339.tif 000011
電気石の特性として適湿度よりもやや多湿度の方がマイナスイオンの発生が多く、距離の隔てに関わらずＩＢ比改善が認められ、導電性振り子は右回転する。適湿度のときは短時間的には湿度改善が認められない。    
（表８）では多湿度にも関わらずマイナスイオン発生があり、遠距離７ｍでもマイナスイオンが拡散することが分った。別日時に同程度の湿度のときに３０分間測定した結果、（表９）の通りＩＢ比、Ｈ比とも理想的に改善されることが分った。導電性振り子は、環境イオンバランスＩＢ１、ＩＢ２、即ち体内量子比ｆ（ＭＩ／ＰＩ）に応じて左右に回転することが検証された。
【実施例５】
【００９４】
マイナスイオン発生車内エアコン（特願平１０−３３１８４４）の検証：
マイナスイオン特性を有する原素材（トルマリン＝電気石）を活用した加工素材として下記を使用している。
・加工素材：低温焼結多孔質セラミックボール
・材質：（非特許文献９）
・大きさ、個数：６〜７ｍｍφ、５４個入り（２セット）
外気（冷房、風量２、走行中）、外気（暖房、風量２、走行中）の各場合の実験結果は、（表１０）、（表１１）の通り。
【表１０】
2010029339.tif 000012
【表１１】
2010029339.tif 000013
外気モードの場合、車装備の発生する電磁波に伴うプラスイオン化が多くなり、またマイナスイオン発生も多くなるため、ＩＢ２≧１傾向、ＩＢ改善が認められる。冷房、暖房のいずれの場合も湿度が高い方が、湿度改善が認められる。
ＭＩ発生器なしの場合、総じてプラスイオンの方が多く、ＭＩ／ＰＩ＜１となり、ｆ（ＭＩ／ＰＩ）＜１に即応するように導電性振り子は左回転することが検証された。ＭＩ発生器を装備した場合は、総じてマイナスイオンが多く、ＭＩ／ＰＩ＞１に転じ、ｆ（ＭＩ／ＰＩ）＞１に即応するように右回転することが検証された。
【実施例６】
【００９５】
中立領域における体内量子比検知器構成（図２）の動作（弱モード）の実験結果は、（表１２）の通り。
【表１２】
2010029339.tif 000014
ただし、ＴＶ１，ＦＮ２：テレビから１ｍ、（実施例１）の扇風機から２ｍのこと。
プラスイオン傾向となるテレビ、およびマイナスイオン傾向となる（実施例１）のマイナスイオン発生扇風機を相対に設置稼動したとき、その間の測定位置によって、プラスイオン傾向の領域では左回転、マイナスイオン傾向の領域では右回転、不安定領域では左右に不安定回転、プラス・マイナスの境界領域では境界面に沿って単振動することが検証された。
【００９６】
【非特許文献９】ＳＭＢ研究会編  トルマリン活用商品（二次素材）
【実施例７】
【００９７】
屋内環境における体内量子比検知器構成（図２）の動作の実験結果は、（表１３）の通り。
【表１３】
2010029339.tif 000015
屋内環境は、木造家屋、コンクリート家屋においては、密閉性が異なり、特に電化製品の稼動状況および場所によってもイオン化傾向が異なるが、総じて、そのイオン化傾向に従って導電性振り子の回転方向が対応することが検証された。特に、気密で電化製品が稼動している住環境、就業密度が高くＯＡ機器稼動のオフィス環境においてはプラスイオン傾向となり、導電性振り子は左回転することが検証された。
【実施例８】
【００９８】
屋外環境における体内量子比検知器構成（図２）の動作の実験結果は、（表１４）の通り。
【表１４】
2010029339.tif 000016
屋外環境では、（表１４）の通り、その環境のイオン化傾向と導電性振り子の回転動作が一致することがわかった。特に、適湿でも無風でムッとするようなとき、および放射性ガスが拡散しているようなときは、環境が良くても導電性振り子は左回転し、イオン化傾向はプラスイオン傾向にあることが検証された。
【実施例９】
【００９９】
各種飲料水における体内量子比検知器構成（図２）の動作の実験結果は、（表１５）の通り。
【表１５】
2010029339.tif 000017
注）・導電性振り子の重錘から支持指まで、または他方の指を検体水に入れる。
・電気石活性水は、活性方式により活性度合いが異なる。    
水中のマイナスイオン数は、測定器が存在しないので空気マイナスイオン測定のように測定できないのが現状である。飲料水の良否判定のひとつとして酸化還元電位計での測定がある。しかし、飲料水のイオン化傾向（陰陽イオンの各総和比）、強いては体内量子比ｆ（ＭＩ／ＰＩ）への影響は、導電性振り子を用いることで簡単に可能である。
導電性振り子を支持懸垂した手指、または他方の手指を検知する飲料水を入れたコップに入れるだけで、検体水の非局所性量子比に応じて導電性振り子が動作することを検証できる。
【実施例１０】
【０１００】
浴水における体内量子比検知器構成（図２）の動作の実験結果は、（表１６）の通り。  
【表１６】
2010029339.tif 000018
注）検知水の含有成分の陰陽イオン、それぞれの総和比による。
注）体・指を検体水浴槽内入れ、検知振り子は水中に入れても、入れなくても良い。水中で動作することを確認する方がより確実である。
風呂水、プール水、温泉水の場合は、飲料水と同様に動作確認できるが、直接に裸体を沈めた方が経皮吸収が多く、確かな動作確認ができる。このとき、
導電性検知振り子は水中でも、空気中に出しても可能である。水の抵抗を考えると導電性振り子が水中でも動作することは驚異的であるが、水がイオン化している限りは当然と言える。増幅された体外量子比電流がどれほど大きいかの証となる。このことは従来の常識では考えられない。
ただし、温泉水の場合、ラジウム温泉やラドン温泉ではホルミシス効果の範囲では右回転だが、放射線の線量当量、入浴時間によっては動作が変わるものと推測される。
【実施例１１】
【０１０１】
化学添加物における体内量子比検知器構成（図２）の動作の場合は、（表１７）の通り。  
【表１７】
2010029339.tif 000019
検体から発するイオン量による非局所性量子比や、同時発生有害物質量によって、検知者にとって質的・量的に無害か有害かを判断できる。このことは、Ｏリングの応用分野（非特許文献３）としては従来から検証されている。本論によれば、体外量子比電流に起因するので、体内量子比検知器でも同様に動作する。
【実施例１２】
【０１０２】
地下水脈・鉱脈における体内量子比検知器構成（図２）の動作は（表１８）の通り。
【表１８】
2010029339.tif 000020
注）線量当量・被爆時間などホルミシス効果の範囲で適用される。
電気石鉱脈、放射性鉱脈、放射性温泉源のイオン化傾向が周辺の非局所性量子比と有意差があれば探査できる。
地下浅層で乱流をなすような地下水脈上、電気石の鉱脈上、放射線が強く放射されている放射性鉱脈上などで、イオン放出によって背景の非局所性量子比に比して顕著に異なるときは、（表１８）のように検知できるものと推測される。
浅層乱脈の地下水脈におけるレナード現象によるマイナスイオン化は適正条件のもとで意識を考慮すれば、Ｌロッドの動作として検知できる可能性がある。
電気石鉱脈、放射性鉱脈、放射性温泉源はこれらのイオン化傾向と周辺の環境のイオンバランスとの間に有意差があれば探索できる可能性がある。
検知振り子が回転動作しているとき、手指末節掌側でゲルマニウム鉱石を触れると動作が止まることから、ゲルマニウムには体内量子比電流の整流化作用があるものと考えられ、体内量子
比電流の変動は抑制されるものと推測される。
【実施例１３】
【０１０３】
生体量子比、体内量子比と非局所性量子比の関係は（表１９）の通り。  
【表１９】
2010029339.tif 000021
手指末節掌側の体外量子比電流方向に応じた検知振り子の動作を確認することによって、生体量子比ＩＢｉおよび検知者がいる非局所性量子比ＭＩ／ＰＩに対応した体内量子比ｆ（ＭＩ／ＰＩ）を簡単に知ることができる。更に、それが非局所性量子比によるのか、生体量子比によるのか、より確実に知るためには、組織液量子比電流の影響を検知する必要がある。そのためには、手指末節掌側または経穴部位の何れ以外（例えば中指と薬指の基節中央部近傍の間）で導電性振り子を吊り下げたとき非局所性量子比の変化に即応しないので生体量子比を検知できる。
その上、手指末節掌側での導電性振り子の動作確認から体内量子比をチェックすると、（表１９）の通り非局所性量子比を推測できる。
【実施例１４】
【０１０４】
健康状態における体内量子比検知器構成（図２）の動作は（表２０）の通り。  
【表２０】
2010029339.tif 000022
ただし、ＭＩ、ＰＩはマイナスイオン発生源、プラスイオン発生源
検知者は、導電性振り子の支持部位（基節または末節）における動作を、イオン発生接触物質を変えながら確認すると、（表２０）の通り健康状態を判断する目安となり得るものと推測される。    ただし、医学的な観点から専門分野の検証が必要である。
【実施例１５】
【０１０５】
経穴部位における体内量子比検知器構成（図１または図５）の動作は、（表２１）の通り。  
【表２１】
2010029339.tif 000023
体内量子比と因果関係のある異常臓器器官の場合、陽イオンが当該組織細胞から組織液に漏洩して当該経絡を通じて流れ、当該経穴部位の体内量子比増幅機構において、経絡の組織液量子比電流の優位なイオンが増幅され放出される。また手指末節掌側または経穴部位の何れ以外（例えば中指と薬指の基節中央部近傍の間）で導電性検知振り子を懸垂したときは、生体量子比ＩＢｉ、即ち経絡以外の一般組織液量子比電流によって動作する。
導電性振り子を中指と薬指の基節中央部近傍の間、および当該経穴部位で支持懸垂したときの動作を併せて確認すると当該臓器器官の生体量子比を推測できる。推測される臓器器官に対応する当該経穴部位に支持懸垂したとき、左回転すれば、明らかに当該経穴に対応する臓器器官がイオンバランス的に崩れているものと推測される。ただし、医学的な観点から専門分野の検証が必要である。
【実施例１６】
【０１０６】
意識状態における体内量子比検知器構成（図２）の動作（１）は、（表２２）の通り。  
【表２２】
2010029339.tif 000024
体内量子比の観点からすると、無意識・肯定的意識状態では、体内量子比がｆ（ＭＩ／ＰＩ）＞１（陰イオン化傾向）のときは副交換神経が働きアセチルコリン様の神経修飾物質が作用し、ｆ（ＭＩ／ＰＩ）＜１（陽イオン化傾向）のときは交換神経が働きカテコルアミン様の神経修飾物質が作用すると考えられる。しかし、否定的意識が働くと意識スイッチ機構の働きによって、神経修飾物質がそれぞれ逆転して作用する。その結果、導電性振り子構成の体内量子比検知器の動作は、同じ検知者、同じ環境、即ち同じ体内量子比状態にも関らず、無意識・肯定的意識状態と否定的意識状態とでは、瞬時のうちに慣性に抗して逆動作することになる。この現象は、生体量子比は瞬時には変わらないので、非局所性量子非が逆転しない限り、検知者の意識状態によって作用する神経修飾物質が逆転するためである。そして意識状態を解除すると、無意識状態のもとの動作に戻る。更に意識状態を同じにしたとき動作に再現性がある。
【０１０７】
意識状態による体内量子比検知器構成（図２）の動作（２）は、（表２３）の通り。  
【表２３】
2010029339.tif 000025
不安定意識では肯定、否定どちらつかずの不安定動作、意識的に肯定・否定意識を交互に繰り返す（実際には単振動を意識する）中立意識では単振動動作をする。非意識状態（例えば、停止指令のような本能的な危機回避意識）では意識・無意識状態に優先して停止する。異常意識が正常意識と連続的だとすれば、何らかの原因によっても異常意識を一時的に体感できることになる。逆に、異常意識が意識状態のひとつの形態とすれば、自律神経、即ち神経修飾物質に何らかの異常が生じる筈なので、体内量子比検知器はそれらに対応した異常動作をすることになる。
【実施例１７】
【０１０８】
ウソ発見器・精神分析器における体内量子比検知器構成（図２）の動作は、（表２４）の通り。  
【表２４】
2010029339.tif 000026
ただし、ＭＩ：マイナスイオン発生源    ＰＩ：プラスイオン発生源
（表２４）の通り、非検知者の基節動作が右回転の場合、真正質問、虚偽質問を適宜交えて、かつイオン発生源を変えながら統計的に充分なだけの質問を繰り返えし実施すれば、真正回答か、虚偽回答か、かなり正確に真偽を判定できる。ただし、被検者の生体量子比に見合ったイオン発生源ＭＩ、ＰＩを選択する必要がある。イオン発生源のイオン化傾向が非局所性量子比と異なるときは、発生源の方がイオン的に優位であることが前提である。基節動作が左回転の場合は異なる。
従って、本論によるウソ発見技術は、従来の技術に替わる高度な「ウソ発見器」、「精神分析器」として応用できる。
【産業上の利用可能性】
【０１０９】
導電性振り子構成（（図１）、（図２）、（図５）のいずれか）からなる体内量子比検知器の動作および導電性多面体１構成（（図１）、（図２）、（図３）、（図６）のいずれか）からなる体内量子比検知器を手指末節掌側で対面を相対または外側に引っ張ったときの指先の開閉動作には、体内量子比（即ち、生体量子比および非局所性量子比の相乗積）および意識が関わっているので、体内量子比検知器の応用分野は多岐に及ぶ。
【０１１０】
即ち、新科学領域(量子比力―重力変換理論、生体量子力学、意識の解明、意識認知科学、東西医学の部分融合など)の確立ができる。併せて、体内量子比に関わる生体未科学現象（マイナスイオンの生体影響、ダウジング（占い振り子、Ｌロッド）、Оリング、意識・無意識、気・経絡・経穴など）の謎を解くことができる。
【０１１１】
その結果、屋内・車内・癒し空間・屋外の環境調査、マイナスイオン発生素材・発生商品調査、飲料水・入浴水・潅水調査、化学物質添加物調査、地下水脈・鉱脈探査、健康検査・患部探査、嘘発見器・精神分析器、占いなどが可能となる。
【図面の簡単な説明】
【０１１２】
【図１】（Ａ＋Ｂ＋Ｃ＋Ｄ）構成の立面図
【図２】（Ａ＋Ｂ）構成の立面図
【図３】（Ａ）構成の立面図
【図４】（Ａ）構成要素の上面図および下面図
【図５】（Ｂ＋Ｃ）構成の立面図
【図６】（Ａ＋Ｃ＋Ｄ）構成の立面図
【符号の説明】
【０１１３】
１ 導電性多面体 
２ 導電性鎖
３ 導電性錘
４ 導電性棒 
５ 絶縁性被覆
６ 自由結合部
７ 自由結合部
８ 結合部
【図１】
2010029339.tif 000027
【図２】
2010029339.tif 000028
【図３】
2010029339.tif 000029
【図４】
2010029339.tif 000030
【図５】
2010029339.tif 000031
【図６】
2010029339.tif 000032